(57)【要約】【課題】歯茎の病気の防止対策として好適であり、市販の歯ブラシにおける収納性及び携帯性を維持したまま歯ブラシを振動させることができる歯ブラシ用振動具を提供する。【解決手段】Ｃ型部材２と、この外周面２３に設けられた扁平型振動モータ３、３、電池ホルダ４及びスイッチ５とからなる歯ブラシ用振動具１を、歯ブラシ７のネック部７２から挿入し、把持領域７３の方へスライドさせ、把持手前部７３２に固定する。【選択図】図１
2008284296.tif 000002
【特許請求の範囲】
【請求項１】
歯ブラシに対して着脱自在に取り付け可能なＣ型部材と、
前記Ｃ型部材に取り付けられた電池ホルダと、
前記Ｃ型部材に取り付けられるとともに、前記Ｃ型部材を介して前記歯ブラシを振動させる振動モータと、
前記振動モータのオンオフの切り替えを行うスイッチと、
を備えることを特徴とする歯ブラシ用振動具。
【請求項２】
前記Ｃ型部材は前記歯ブラシのネック部から挿入され前記ネック部と前記歯ブラシの把持部との間に取り付けられるものであり、
前記電池ホルダは前記Ｃ型部材の外周面に取り付けられており、
前記Ｃ型部材の幅は前記電池ホルダの幅と略同幅であることを特徴とする請求項１に記載の歯ブラシ用振動具。
【請求項３】
歯ブラシに対して着脱自在に取り付け可能な取付部材と、
前記取付部材に取り付けられた電池ホルダと、
前記取付部材に取り付けられるとともに、前記取付部材を介して前記歯ブラシを振動させる振動モータと、
前記振動モータのオンオフの切り替えを行うスイッチと、を備えるとともに、
前記取付部材は、
前記電池ホルダ、前記振動モータ及び前記スイッチを取り付けるベースと、このベースに取り付けられるとともに前記歯ブラシを挟持する挟持部材とからなり、
前記挟持部材は、
前記ベースに固定された固定挟持片と、前記ベースに対し可動に取り付けられた可動挟持片と、前記歯ブラシを挟持する方向に前記可動挟持片を付勢するバネ部材とからなること
を特徴とする歯ブラシ用振動具。
【請求項４】
摘み部と、この摘み部に連設されるとともに歯ブラシを挟む挟持面を有する挟持部材と、からなる第１の挟持片及び第２の挟持片とを有し、前記第１の挟持片及び第２の挟持片をその挟持面が対向するように向かい合わせに対峙させてなり、前記歯ブラシを挟持する方向へ前記挟持部材を付勢するバネ部材を備えてなるとともに、前記歯ブラシに対して着脱自在に取り付け可能な取付部材と、
前記挟持面の裏面側に取り付けられた電池ホルダと、
前記挟持面の裏面側に取り付けられるとともに、前記取付部材を介して前記歯ブラシを振動させる振動モータと、
前記振動モータのオンオフの切り替えを行うスイッチと、を備えてなり、
前記挟持部材の先端は前記摘み部を操作することにより前記歯ブラシを挿入可能な挿入口となること
を特徴とする歯ブラシ用振動具。
【請求項５】
前記振動モータは扁平型振動モータと、円筒型振動モータとからなることを特徴とする請求項１〜４いずれか１項に記載の歯ブラシ用振動具。
【請求項６】
前記スイッチは、扁平型振動モータ及び円筒型振動モータのいずれか一方のみを駆動させる第１のモードと、扁平型振動モータ及び円筒型振動モータの双方を同時に駆動させる第２のモードと、を有することを特徴とする請求項５に記載の歯ブラシ用振動具。
【請求項７】
前記振動モータは、
２つの扁平型振動モータからなり、
前記スイッチは、
１つの扁平型振動モータのみを駆動させる弱モードと、２つの扁平型振動モータを同時に駆動させる強モードと、を有することを特徴とする請求項１〜４いずれか１項に記載の歯ブラシ用振動具。
【請求項８】
前記振動モータは、
３つの振動モータからなり、
前記スイッチは、
１つの振動モータのみを駆動させる弱モードと、２つの振動モータを同時に駆動させる中モードと、３つの振動モータを同時に駆動させる強モードと、を有することを特徴とする請求項１〜４いずれか１項に記載の歯ブラシ用振動具。
【発明の詳細な説明】
【技術分野】
【０００１】
本発明は、市販品の歯ブラシに取り付けて使用される歯ブラシ用振動具に関する。
【背景技術】
【０００２】
従来から、歯磨き用の歯ブラシとして電動歯ブラシがある。この電動歯ブラシは、振動を発生させる駆動部を内蔵したグリップ部と、このグリップ部に結合される歯ブラシ部とからなり、これらが１つのセットとして構成され、販売されている。
【０００３】
このような従来の電動歯ブラシは、グリップ部に歯ブラシ部を装着した後、グリップ部を手で握り歯ブラシ部を歯に当てた状態でスイッチを入れる。すると、歯ブラシ部が振動し、この振動により歯が磨ける。この電動歯ブラシを使用すれば手で磨く場合に比べて歯磨きが楽であり、しかもプラーク（歯垢）を除去するうえでも効果的であると言われている。
【０００４】
しかしながら、この電動歯ブラシは、グリップ部が太くて握り難いため、歯磨きの際に余分な力を加えすぎてしまうこととなり、過剰な歯磨きを誘発してしまう原因にもなっている。また、振動も単一の速い振動モードしか有しておらず、歯ブラシが硬く作用してしまい、歯や歯茎に対し過剰に刺激を与えることにもなるし、歯間の磨き残しの原因にもなる。従来、歯周病などの歯茎の病気を防止するうえでは、歯間の磨き残しの防止と歯茎のマッサージが有効であると言われているが、上記電動歯ブラシにおいては、これら歯茎の病気の防止対策としては不十分であった。
【０００５】
また、電動歯ブラシとしては、上記振動タイプの他に歯ブラシ部が回転するタイプ、往復運動するタイプもあるが、これらにおいても、歯間の磨き残しや、歯茎のマッサージの効果としては上記振動タイプの電動歯ブラシと同様であった。
【０００６】
更に、このような電動歯ブラシは、市販されている歯ブラシに比べて高価であり、消耗品である歯ブラシ部も高額であり、しかも、歯ブラシ部は専用品であるため一般的な店舗においては取り扱っていないので購入するのが困難であるという問題もある。また、このような歯ブラシ部は、どれも同様な歯ブラシ部を有したものであり、市販の歯ブラシに比べて形状を選ぶことができない。特に、歯間を磨くには先端が極細になったタイプの歯ブラシが有効とされているが、このようなタイプもないのが実状である。
【０００７】
一方、このような歯ブラシ部の購入の困難さの解決と、電動歯ブラシの購入費用や維持費用などから生ずるコストの問題の解決を図るものとして、特許文献１に記載の電動歯ブラシもある。
【０００８】
この特許文献１に記載の電動歯ブラシは、市販されている歯ブラシの把持部、すなわち手で握る部分を収容する歯ブラシ収容部と、この歯ブラシ収容部に密着結合されておりモータの駆動により発生した振動を上記歯ブラシ収容部に伝達する駆動部とから構成されている。従来の電動歯ブラシと異なり、歯ブラシ部に市販されている歯ブラシを使用するので、上記の歯ブラシ部の購入が困難であるという問題と、コストの問題を共に解決可能である。しかしながら、この電動歯ブラシにおいても、歯磨きする際に手で握る部分、すなわちグリップ部は太くなっており、上記従来の電動歯ブラシと同様に歯磨きの際に余分な力を加えすぎてしまうこととなり、過剰な歯磨きを誘発してしまうという問題が生ずる。
【０００９】
また、上記従来の電動歯ブラシも特許文献１に記載の電動歯ブラシもともに、グリップ部が太いことから、歯ブラシホルダに収納することが出来ず、市販の歯ブラシに比べ収納性が悪いし、このような太いグリップ部を有することは、旅行先などに持っていく場合にも、必然的に携帯性が悪くなるといった問題が生ずる。
【００１０】
【特許文献１】特開２００６−１２２６６９号公報
【発明の開示】
【発明が解決しようとする課題】
【００１１】
本発明は、上記問題点を解決するために考え出されたものであり、歯茎の病気の防止対策として好適であり、市販の歯ブラシにおける収納性及び携帯性を維持したまま歯ブラシを振動させることができる歯ブラシ用振動具を提供することを目的としている。
【課題を解決するための手段】
【００１２】
上記課題を解決するために、本発明に係る歯ブラシ用振動具は、歯ブラシに対して着脱自在に取り付け可能なＣ型部材と、前記Ｃ型部材に取り付けられた電池ホルダと、前記Ｃ型部材に取り付けられるとともに、前記Ｃ型部材を介して前記歯ブラシを振動させる振動モータと、前記振動モータのオンオフの切り替えを行うスイッチと、を備えることを特徴とする。
【００１３】
この「Ｃ型部材」とは、指輪状の部材であり、かつ一部を切り欠いた部材を意味する。但し、本発明においては、この切り欠いた部分を挿入口として歯ブラシを挿入可能であれば良いので、必ずしも円形をベースとしなくてもよく、例えば、方形状をベースとしてもよい。「振動モータ」とは、バイブレーションモータとも言われるモータであり、携帯電話などに内蔵されバイブレーション機能を発揮することが可能な超小型のモータである。なお、電池ホルダ、振動モータ及びスイッチのＣ型部材に対する取り付け方法は、接着や、取付け台座などの取付け部材を介して取り付けるなど種々の取り付け方法が適用可能である。電池ホルダは、歯ブラシ用振動具全体の大きさをコンパクト化させるには、ボタン電池用であることが好適であるが、単５、単４用などの電池ホルダであってもよい。
【００１４】
また、前記Ｃ型部材は前記歯ブラシのネック部から挿入され前記ネック部と前記歯ブラシの把持部との間に取り付けられるものであり、前記電池ホルダは前記Ｃ型部材の外周面に取り付けられており、前記Ｃ型部材の幅は前記電池ホルダの幅と略同幅であってもよい。
【００１５】
歯ブラシは、先端側に歯を磨く部分であるブラシ部と、後端側に手で持つ部分である把持部と、このブラシ部と把持部との間に細長状のネック部とを有するが、本発明の歯ブラシ用振動具は、上記したＣ型部材における切り欠き部分を挿入口としてネック部から挿入し、ネック部と把持部との間で、かつ歯磨きの際に邪魔にならない位置に固定される。また、Ｃ型部材の幅とは、歯ブラシ用ホルダを歯ブラシに固定した際の歯ブラシの長さ方向における長さを意味する。電池ホルダをＣ型部材の外周面に取り付けた場合には、この電池ホルダの幅よりＣ型部材の幅が広ければ、そのぶん歯ブラシ用振動具の大きさも大きくなるので、Ｃ型部材の幅は電池ホルダの幅と同幅か、ほんの少し広幅かあるいは狭幅に設定するのが好適である。
【００１６】
また、本発明に係る歯ブラシ用振動具は、歯ブラシに対して着脱自在に取り付け可能な取付部材と、前記取付部材に取り付けられた電池ホルダと、前記取付部材に取り付けられるとともに、前記取付部材を介して前記歯ブラシを振動させる振動モータと、前記振動モータのオンオフの切り替えを行うスイッチと、を備えるとともに、前記取付部材は、前記電池ホルダ、前記振動モータ及び前記スイッチを取り付けるベースと、このベースに取り付けられるとともに前記歯ブラシを挟持する挟持部材とからなり、前記挟持部材は、前記ベースに固定された固定挟持片と、前記ベースに対し可動に取り付けられた可動挟持片と、前記歯ブラシを挟持する方向に前記可動挟持片を付勢するバネ部材とからなることを特徴とする。
【００１７】
また、本発明に係る歯ブラシ用振動具は、摘み部と、この摘み部に連設されるとともに歯ブラシを挟む挟持面を有する挟持部材と、からなる第１の挟持片及び第２の挟持片とを有し、前記第１の挟持片及び第２の挟持片をその挟持面が対向するように向かい合わせに対峙させてなり、前記歯ブラシを挟持する方向へ前記挟持部材を付勢するバネ部材を備えてなるとともに、前記歯ブラシに対して着脱自在に取り付け可能な取付部材と、前記挟持面の裏面側に取り付けられた電池ホルダと、前記挟持面の裏面側に取り付けられるとともに、前記取付部材を介して前記歯ブラシを振動させる振動モータと、前記振動モータのオンオフの切り替えを行うスイッチと、を備えてなり、前記挟持部材の先端は前記摘み部を操作することにより前記歯ブラシを挿入可能な挿入口となることを特徴とする。
【００１８】
前記振動モータは扁平型振動モータと、円筒型振動モータとから構成してもよい。
【００１９】
この扁平型振動モータとは、コイン型あるいはブラシレスコイン型振動モータとも言われる超小型振動モータであり、円筒型振動モータとは、円筒型振動モータとも言われる超小型振動モータである。扁平型振動モータと円筒型振動モータとは、モータの回転数が異なることから振幅が大きくなったり小さくなったりするので、その結果、振動に強弱が生ずる。この強弱が歯磨きの際にマッサージ効果を高めたり、ブラッシング効果を高めたりする。
【００２０】
また、前記スイッチは、扁平型振動モータ及び円筒型振動モータのいずれか一方のみを駆動させる第１のモードと、扁平型振動モータ及び円筒型振動モータの双方を同時に駆動させる第２のモードと、を有するように構成してもよい。
【００２１】
前記振動モータは、２つの扁平型振動モータからなり、前記スイッチは、１つの扁平型振動モータのみを駆動させる弱モードと、２つの扁平型振動モータを同時に駆動させる強モードと、を有するように構成してもよい。
【００２２】
前記振動モータは、３つの振動モータからなり、前記スイッチは、１つの振動モータのみを駆動させる弱モードと、２つの振動モータを同時に駆動させる中モードと、３つの振動モータを同時に駆動させる強モードと、を有するように構成してもよい。
【発明の効果】
【００２３】
本発明によれば、振動モータを備える歯ブラシ用振動具を市販の歯ブラシに着脱自在に取付け可能とし、歯磨きの際にこの歯ブラシを振動させるように構成した。これにより、歯茎の病気の防止対策として好適であり、市販の歯ブラシにおける収納性及び携帯性を維持したまま歯ブラシを振動させることができる。
【発明を実施するための最良の形態】
【００２４】
以下、本発明の実施形態について、図面を参照して説明する。なお、以下の説明において、電池ホルダは、ボタン電池用のものを使用しているが、これに限定されるものではなく、例えば、単５、単４用などの電池ホルダであってもよい。
【００２５】
［第１実施形態］
まず、図１及び図２を参照して、第１実施形態に係る歯ブラシ用振動具の構成について説明する。図１は、本実施形態に係る歯ブラシ用振動具の概略構成図であり、（ａ）は正面図、（ｂ）は側面図、図２は、図１に示す歯ブラシ用振動具の取付け方法を説明するための斜視図であり、（ａ）は挿入直前、（ｂ）は挿入直後、（ｃ）は固定時のそれぞれの状態を示す。
【００２６】
当該歯ブラシ用振動具１は、図１に示すように、Ｃ型部材２、扁平型振動モータ３、電池ホルダ４、及びスイッチ５から構成されている。
【００２７】
Ｃ型部材２は、全体を指輪状に形成するとともに、一部を切り欠いたＣ型形状の部材である。この切り欠いた部分が、図２に示すように歯ブラシ７を挿入する挿入口となり、内側面２２が歯ブラシ７との圧接面となる。なお、本実施形態においては、その素材をプラスチック素材としたが、シリコン樹脂素材、合成あるいは天然ゴム素材など種々の素材が適用可能である。Ｃ型部材２の内径Ｒは、歯ブラシ７の把持領域７３の幅Ｌより若干狭く設定されている。このように設定することにより、図２の手順で歯ブラシ用振動具１を挿入することにより内径Ｒが若干広がり、歯ブラシ用振動具１の内側面２２が把持手前部７３２を圧接し、把持手前部７３２に歯ブラシ用振動具１が固定される。詳細は後述する。
【００２８】
扁平型振動モータ３は、携帯電話の着信を知らせるためのバイブレーション機能に用いられる超小型の振動モータである。例えば、東京パーツ工業株式会社製  型番ＦM８８Ｅ（φ10.0×H3.0）、株式会社シコー技研製  機種名Ｃ０８３３（8.4×H3.3）、ＦＭ３４Ｆ（φ12.0×H3.4）ともに単位ｍｍなどがある。また、本実施形態においては、２個の扁平型振動モータ３、３はともに、上記株式会社シコー技研製ＦＭ３４Ｆを用いているが、２個の扁平型振動モータ３、３を同機種にする必要はなく、異機種により構成してもよい。モータの回転数が異なる異機種で構成すれば、波の共振現象などにより振動に強弱を付けることも可能となる。その結果、ブラッシングに強弱を付けることが可能となり、この強弱により歯ブラシを硬く作用させることなく、歯間に微振動を与え、汚れを落としたり、歯茎のマッサージ効果を高めることが可能となる。なお、本実施形態においては、扁平型振動モータ３は２つ用いているが、１個でも３個でもよい。
【００２９】
電池ホルダ４は、方形状の箱型のケーシング４１と、正極接点４２、負極接点４３とからなり、ケーシング４１内にはボタン電池６が挿入されている。図１においては、この電池ホルダ４は方形状であるが、この電池ホルダ４は、必ずしも方形状である必要はなく、円形状のものであってもよく、種々のボタン電池用の電池ホルダが適用可能である。また、ボタン電池６は、ボタンの形をした扁平状の電池であり、ボタン型電池あるいはコイン型電池とも言われるものである。本実施形態においては、型番ＬＲ−４４を用いているが、その他のボタン電池であってもよい。また、本実施形態においては、電池ホルダ４を２個設けているが、必ずしも２個である必要はなく、１個でも３個でも個数は限定されない。但し、扁平型振動モータ３を駆動させるのに必要であり、かつ歯磨きの際に好適な電圧を供給することを条件とする。
【００３０】
スイッチ５は、ケース本体５１と、レバー５２とからなり、レバー５２を操作することにより電源がオンオフする。また、本実施形態においては、扁平型振動モータ３を２個有していることから、このスイッチ５には、１個の扁平型振動モータ３を作動させる弱モード、２個の扁平型振動モータ３、３を同時に作動させる強モードの２つのモードを有し、切り替え自在になっている。このように、弱モード及び強モードの２つのモードを有することにより振動に強弱をつけることが可能となる。その結果、ブラッシングに強弱を付けることが可能となり、この強弱により歯ブラシを硬く作用させることなく、歯間に微振動を与え、汚れを落としたり、歯茎のマッサージ効果を高めることが可能となる。
【００３１】
また、扁平型振動モータ３の配線部分に抵抗体や可変抵抗体を置くことによっても、振動の強弱を付けることは可能である。なお、本実施形態においては、スイッチ５としてトグルスイッチを使用しているが、これに限定されず、また、図１においては、扁平型振動モータ３、３、電池ホルダ４、４及びスイッチ５の配線は図示すると複雑化になることと、当業者であればどのように配線するかは明確に理解可能であることから配線は省略している。以下、図２〜図５においても同様である。
【００３２】
これら、扁平型振動モータ３、３、電池ホルダ４、４及びスイッチ５は、Ｃ型部材２の外周面２３に取り付けられている。この取付け方法としては、種々の取り付け方法があり、図１においては、全て接着した状態を示している。但し、これに限定されるものではなく、例えば、Ｃ型部材２の外周面２３上に取付け台座を設けこの取付け台座に、扁平型振動モータ３、３、電池ホルダ４、４及びスイッチ５を嵌合固着させたり、これら各パーツを合成樹脂などでパッケージ封入するなど種々の方法が適用可能である。また、各パーツの配置は図１に示す配置に限定されず設計者において種々の変更が可能である。
【００３３】
なお、本実施形態においては、Ｃ型部材２の幅Ｌ１は、電池ボックスの幅Ｌ２及び扁平型振動モータ３の幅Ｌ３と略同幅に設定している。
【００３４】
次に、このように構成された歯ブラシ用振動具１の取り付け方法について図２を参照して説明する。なお、図２（ａ）においては、扁平型振動モータ３、電池ホルダ４及びスイッチ５は簡略化して図示し、（ｂ）及び（ｃ）では省略して図示している。
【００３５】
歯ブラシ７は市販されているものを用いる。ここでは、この歯ブラシ７は、歯に当たる部分であるブラシ部７１を先端側に有し、後端側には手に持つ部分である把持領域７３を有し、ブラシ部７１と把持領域７３との間に把持領域７３に対し径が小さい細長状のネック部７２を有した極く一般的な歯ブラシである。
【００３６】
まず、図２（ａ）に示すように、ネック部７２の下面７２１側に歯ブラシ用振動具１を挿入口２１を上方に向けて配置させる。この状態で挿入口２１から歯ブラシ用振動具１をネック部７２の下面７２１側から挿入する。この挿入した状態を示したものが図２（ｂ）である。
【００３７】
次に、同図（ｂ）に示した状態から矢印Ｘ方向に歯ブラシ用振動具１をスライドさせると、この歯ブラシ用振動具１は、ネック部７２から径が太い把持領域７３に移行する。この状態を示したのが同図（ｃ）である。このような手順で歯ブラシ用振動具１を挿入することにより内径Ｒが若干広がり、歯ブラシ用振動具１の内側面２２が把持手前部７３２を圧接し、把持手前部７３２に歯ブラシ用振動具１が固定される。
【００３８】
なお、上記においては、歯ブラシ用振動具１を歯ブラシ７の下面７２１側から挿入したが、側面７２２側から挿入するようにしてもよい。また、歯ブラシ用振動具１の取付位置は、図２（ｃ）に示すように、ネック部７２と把持部７３１との間、すなわち、歯ブラシ７を手で握った場合に、ネック部７２と手との間の把持手前部７３２である。
【００３９】
このように本発明に係る歯ブラシ用振動具１においては、歯ブラシ７に振動させるためのモータをコンパクトな扁平型振動モータ３としたことで、この歯ブラシ用振動具１をブラシ部７１面側に向けることにより洗面台などの通常の歯ブラシホルダへの収納も可能とし、旅行などへの携帯するうえでもスペースをとらず好適である。また、旅先の洗面台など、特に歯ブラシホルダがないような洗面台でも、歯ブラシ用振動具１がスタンドの役割となり、直接歯ブラシ７が洗面台などに接触することを防ぐこともできる。
【００４０】
このように構成された歯ブラシ用振動具１を歯ブラシ７に取り付けて磨き残しの検査を行った。
【００４１】
比較例１として、歯ブラシが振動するタイプのもの、比較例２として歯ブラシが回転するタイプのものを準備した。１０人にそれぞれの歯ブラシを使用してもらい、その歯磨き効果を調査した。その調査方法は、１０人に歯垢染色液を口に含ませ、歯垢を赤く染めて、それぞれの歯ブラシで３分間歯磨きをさせて、磨き残しの面積を比較した。この面積の測定方法としては、歯磨き後の前面写真を撮影し、これを画像処理して数値化する手法を採用した。以下にその結果を表に示す。
【００４２】
＜表＞
2008284296.tif 000003
【００４３】
以上の結果から、本発明の歯ブラシ用振動具１を使用した歯ブラシ７を使用することにより、磨き残しを大幅に少なくすることが可能であることがわかった。
【００４４】
次に本発明の歯ブラシ用振動具の他の実施形態を以下に示すが、上記第１実施形態と同様の部分については説明を省略する。
【００４５】
［第２実施形態］
本発明の第２実施形態に係る歯ブラシ用振動具について図３を参照して説明する。図３は歯ブラシ用振動具１Ａの概略構成図であり、（ａ）は正面図、（ｂ）は矢印Ｂから見た側面図である。
【００４６】
この歯ブラシ用振動具１Ａと上記第１実施形態に係る歯ブラシ用振動具１との大きな相違点は、電池ホルダ４Ａの構成と、２つの振動モータのうち１つの振動モータが円筒型振動モータ８である点である。
【００４７】
すなわち、歯ブラシ用振動具１Ａは、Ｃ型部材２Ａの外周面２３Ａ上に、扁平型振動モータ３、収容ケース９に収容された円筒型振動モータ８及びスイッチ５が取り付けられて構成されている。
【００４８】
Ｃ型部材２Ａの構成は、上記Ｃ型部材２と同様であり、扁平型振動モータ３の構成もスイッチ５の構成もともに上記第１実施形態のそれぞれのパーツと同様である。
【００４９】
また、円筒型振動モータ８は、回転子８１、回転軸８２及び駆動部本体８３からなり、回転軸８２に軸支された回転子８１が駆動部本体内の駆動手段により回転しこの回転子８１が回転することにより振動を発生させる。この円筒型振動モータ８はドーム状の頂部を有する収容ケース９内に収容されて、Ｃ型部材２Ａに取り付けられている。この円筒型振動モータ８は、シリンダー型振動モータとも言われ、携帯電話機のバイブレーション機能を発揮するために用いられる超小型振動モータである。例えば、株式会社シコー技研製  機種名Ｊ７１、Ｂ２Ｋともに（3.2mm×H8.0mm）などがある。
【００５０】
本実施形態においては、円筒型振動モータ８と扁平型振動モータ３と異なる２種類の振動モータを使用している。これら種類の異なる振動モータはモータの回転数が異なるため、同時に駆動させると、振幅が大きくなったり小さくなったりするので、その結果、振動に強弱が生じる。この強弱が歯磨きの際にマッサージ効果を高めたり、ブラッシング効果を高めたりできる。
【００５１】
電池ホルダ４Ａはケーシング４１Ａ、弦巻バネ状の正極接点４２Ａ及び負極接点４３Ａからなり、ケーシング４１Ａ内にはボタン電池６が２個直列に収容可能となっている。なお、各パーツ、すなわち扁平型振動モータ３、収容ケース９、スイッチ５及び電池ホルダ４Ａの配置は、上記同様にこの図３に示す配置に限定されるものではなく、適宜設計者において変更可能である。
【００５２】
本実施形態における歯ブラシへの取り付け方法は、上記第１実施形態における取り付け方法と同様であるので説明を省略する。
【００５３】
［第３実施形態］
本発明の第３実施形態に係る歯ブラシ用振動具について図４を参照して説明する。
【００５４】
図４は、歯ブラシ用振動具１Ｂの概略構成図であり、（ａ）は正面図、（ｂ）は（ａ）に示す歯ブラシ用振動具の可動挟持片を可動させた状態を示す正面図、（ｃ）は上面図、（ｄ）はＣ−Ｃ断面図をそれぞれ示す。なお、扁平型振動モータ３、電池ホルダ４及びスイッチ５は簡略化して図示してある。
【００５５】
歯ブラシ用振動具１Ｂと歯ブラシ用振動具１との大きな相違点は、Ｃ型部材２に代えて取付部材２００を使用し、後述するように歯ブラシを挟持することにより歯ブラシ用振動具１Ｂを歯ブラシに固定するようにしたことである。以下詳細に説明する。
【００５６】
歯ブラシ用振動具１Ｂは、２個の扁平型振動モータ３、３、２個の電池ホルダ４、４を取付部材２Ｂの裏面側に、スイッチ５を側面側に取り付けて構成されているが、その取付位置、取付方法及び振動モータの種類や個数などは、上記と同様に設計者において種々の変更が可能である。
【００５７】
取付部材２００は、ベース２０１、ベース２０１に立設された固定挟持片２０２、ベース２０１の幅方向両端に立設された２個の支持部２０３、２０３及びベース２０１に対し可動に取り付けられた可動挟持片２０４を有する。各支持部２０３には穴２０９が設けられており、可動挟持片２０４にも図示しない穴が設けられている。各支持部２０３の穴２０９と可動挟持片２０４の穴を合わせ、この穴２０９から軸２０８を挿入し、両端をビス２０７で止めることにより、可動挟持片２０４は支持部２０３に軸支されベース２０１に対し可動状態となる。
【００５８】
また、図４（ａ）、（ｄ）に示すように、可動挟持片２０４の裏面側とベース２０１の表面側との間には、板バネ２０５が挿入され、可動挟持片２０４の裏面側とベース２０１の表面側にそれぞれ設けられた止め部２０６により、板バネ２０５は係止されている。
【００５９】
このように構成することにより、図４（ａ）に示すように可動挟持片２０４を矢印Ｄ方向へ手で押下すると、同図（ｃ）のように挿入口２１Ｂが広がるとともに、可動挟持片２０４に板バネ２０５の付勢力が加わる。この状態で、挿入口２１Ｂから図２に示す歯ブラシ７の把持手前部７３２を挿入し、同図（ｃ）の矢印Ｄ１方向の力をリリースする、すなわち、可動挟持片２０４から手を離すと、板バネ２０５の復元力が可動挟持片２０４を介して歯ブラシ７に伝わり、その結果、歯ブラシ７は、固定挟持片２０２と可動挟持片２０４とからなる挟持部材により挟持され、歯ブラシ用振動具１Ｂは、歯ブラシ７に固定される。
【００６０】
このように、歯ブラシ用振動具１Ｂは、歯ブラシ７を挟持して歯ブラシ７に取り付けることが可能であることから、歯ブラシ用振動具１Ｂを上記実施形態１や２のようにネック部７２から挿入しスライドさせるという動作をせずとも、ダイレクトに取り付けたい部分を挿入口２１Ｂに挿入させればよいので、取り付けが容易となる。
【００６１】
［第４実施形態］
本発明の第４実施形態に係る歯ブラシ用振動具について図５を参照して説明する。
【００６２】
図５は、歯ブラシ用振動具１Ｃの概略構成図であり、（ａ）は正面図、（ｂ）歯ブラシ用振動具１Ｃの挿入口を開口させた状態を示す正面図、（ｃ）はＥ−Ｅ断面図、（ｄ）はＦ矢視図をそれぞれ示す。なお、扁平型振動モータ３、電池ホルダ４及びスイッチ５は簡略化して図示してある。
【００６３】
歯ブラシ用振動具１Ｃと歯ブラシ用振動具１との大きな相違点は、Ｃ型部材２に代えて取付部材３００を使用し、後述するように歯ブラシを挟持することにより歯ブラシ用振動具１Ｃを歯ブラシに固定するようにしたことである。本実施形態における取付部材３００は要するに洗濯ばさみのような構造をしたものである。以下詳細に説明する。
【００６４】
歯ブラシ用振動具１Ｃは、取付部材３００、２個の扁平型振動モータ３、３、２個の電池ホルダ４、４及びスイッチ５を有している。取付部材３００は、摘み部３０３と、摘み部３０３に連設されるとともに歯ブラシ７を挟む挟持面となる内側面３０４Ａを有する挟持部材３０４と、からなる第１の挟持片３０１及び第２の挟持片３０２とを有し、第１の挟持片３０１及び第２の挟持片３０２をその内側面３０４Ａが対向するように向かい合わせに対峙させて構成されている。
【００６５】
また、第１の挟持片３０１、第２の挟持片３０２のそれぞれには、摘み部３０３と挟持部材３０４との間に２片の突出する突出片３０５Ａ、３０５Ａ、３０５Ｂ、３０５Ｂが設けられているとともに、突出片３０５Ａ、３０５Ａ、３０５Ｂ、３０５Ｂのそれぞれには、穴３０９が設けられている。
【００６６】
摘み部３０３はＥ−Ｅ断面視弓形に形成されており、その内面にはバネ３０６の脚部３０６Ｂが係止されている。
【００６７】
第１の挟持片３０１と第２の挟持片３０２とは、同図（ｄ）に示すように、突出片３０５Ａ、３０５Ａと、突出片３０５Ｂ、３０５Ｂとが互い違いに組み合わされると共に、中央部にバネ３０６の弦巻部３０６Ａが挿入され、この弦巻部３０６Ａと、各穴３０９を合わせた状態で、軸３０８を挿入し、両端をビス３０７にてビス止めしている。
【００６８】
このように構成された歯ブラシ用振動具１Ｃは、挿入口３０４Ｃが閉口しており、バネ３０６の弾性力により挿入口３０４Ｃが閉口しており、摘み部３０３、３０３を両側から指で摘むと、図５（ｂ）のように、挿入口３０４Ｃが開口される。この際、バネ３０６により、摘み部３０３には付勢力が加わる。
【００６９】
この状態で、挿入口３０４Ｃから図２に示す歯ブラシ７の把持手前部７３２を挿入し、摘み部３０３、３０３から手を離すと、挟持部材３０４の内側面３０４Ａが歯ブラシ７を挟持する挟持面となり、歯ブラシ用振動具１Ｃは歯ブラシ７を挟持して固定される。このように構成することにより、上記第３実施形態のときと同様に、取付操作が簡単になる。
【図面の簡単な説明】
【００７０】
【図１】第１の実施形態に係る本発明の歯ブラシ用振動具の概略構成図であり、（ａ）は正面図、（ｂ）は側面図を示す。
【図２】図１に示す歯ブラシ用振動具の取付け方法を説明するための斜視図であり、（ａ）は挿入直前、（ｂ）は挿入直後、（ｃ）は固定時のそれぞれの状態を示す。
【図３】第２の実施形態に係る本発明の歯ブラシ用振動具の概略構成図であり、（ａ）は正面図、（ｂ）は側面図を示す。
【図４】第３の実施形態に係る本発明の歯ブラシ用振動具の概略構成図であり、（ａ）は正面図、（ｂ）は（ａ）に示す歯ブラシ用振動具の可動挟持片を可動させた状態を示す正面図、（ｃ）は上面図、（ｄ）は断面図をそれぞれ示す。
【図５】第４の実施形態に係る本発明の歯ブラシ用振動具の概略構成図であり、（ａ）は正面図、（ｂ）は（ａ）に示す歯ブラシ用振動具の挿入口を開口させた状態を示す正面図、（ｃ）はＥ−Ｅ断面図、（ｄ）はＦ矢視図をそれぞれ示す。
【符号の説明】
【００７１】
１、１Ａ、１Ｂ、１Ｃ  歯ブラシ用振動具
２、２Ａ  Ｃ型部材
２１、２１Ａ  挿入口
２２、２２Ａ  内側面
２３、２３Ａ  外周面
３    扁平型振動モータ
４    電池ホルダ
４１、４１Ａケーシング
４２、４２Ａ  正極接点
４３、４３Ａ  負極接点
５    スイッチ
５１  ケース本体
５２  レバー
６    ボタン電池
７    歯ブラシ
７１  ブラシ部
７２  ネック部
７２１  下面
７２２  側面
７３  把持領域
７３１  把持部
７３２  把持手前部
８    円筒型振動モータ
８１  回転子
８２  回転軸
８３  駆動部本体
９    収容ケース
２００  取付部材
２０１  ベース
２０２  固定挟持片
２０３  支持部
２０４  可動挟持片
２０５  板バネ
２０６  止め部
２０７  ビス
２０８  軸
２０９  穴
３００  取付部材
３０１  第１の挟持片
３０２  第２の挟持片
３０３  摘み部
３０４  挟持部材
３０４Ａ  内側面
３０４Ｂ  外周面
３０４Ｃ  挿入口
３０５  突出部
３０５Ａ、３０５Ｂ  突出片
３０６  バネ
３０６Ａ  弦巻部
３０６Ｂ  脚部
３０７  ビス
３０８  軸
３０９  穴
【図１】
2008284296.tif 000004
【図２】
2008284296.tif 000005
【図３】
2008284296.tif 000006
【図４】
2008284296.tif 000007
【図５】
2008284296.tif 000008